(57)【特許請求の範囲】
【請求項１】
挿通穴が形成され支持体の一部であるロッドが前記挿通穴に挿通されて前記支持体に支持されるカップ部と、前記カップ部に連接し外周縁であるエッジ部を有するボウ部と、を有するアコースティックシンバルを有するシンバル型打楽器であって、
少なくとも一部が前記アコースティックシンバルから上方に露出するように前記アコースティックシンバルに装着され、前記アコースティックシンバルの打撃音を低減させる弱音部材と、
前記支持体に固定された固定部と、
前記固定部の一部として構成されるかまたは前記固定部に固定され、前記アコースティックシンバルに装着された前記弱音部材と係合することで前記アコースティックシンバルの回転を規制する規制部と、を有し、
前記弱音部材は、前記アコースティックシンバルにおける、前記挿通穴、前記支持体、または前記支持体に対して固定された部分である第１の係合部と、前記ボウ部の前記エッジ部自身、または前記ボウ部における前記カップよりも前記エッジ部に近い位置に設けられた係合機能部である第２の係合部と、を接続する接続部を有し、
前記接続部は、前記第１の係合部と前記第２の係合部とを接続したとき、前記第１の係合部と前記第２の係合部とを互いに近づける方向に付勢すると共に、前記ボウ部に対向する領域のうち少なくとも一部の領域においては前記ボウ部に対して非当接状態となることを特徴とするシンバル型打楽器。
【請求項２】
前記弱音部材の前記第１の係合部は、前記カップ部の上側から係合可能な上側係合部と、前記カップ部の下側から係合可能な下側係合部とを有し、
前記第２の係合部は前記エッジ部自身であり、
前記接続部の一端部を前記カップ部の下側から前記下側係合部に係合すると共に、前記接続部を前記エッジ部に掛け回して前記接続部の他端部を前記カップ部の上側から前記上側係合部に係合することで、前記エッジ部の、前記接続部が掛け回された部分が、前記挿通穴の位置する方向へ付勢されることを特徴とする請求項１記載のシンバル型打楽器。
【請求項３】
挿通穴が形成され支持体の一部であるロッドが前記挿通穴に挿通されて前記支持体に支持されるカップ部と、前記カップ部に連接し外周縁であるエッジ部を有するボウ部と、を有するアコースティックシンバルを有するシンバル型打楽器であって、
少なくとも一部が前記アコースティックシンバルから上方に露出するように前記アコースティックシンバルに装着され、前記アコースティックシンバルの打撃音を低減させる弱音部材と、
前記支持体に固定された固定部と、
前記固定部の一部として構成されるかまたは前記固定部に固定され、前記アコースティックシンバルに装着された前記弱音部材と係合することで前記アコースティックシンバルの回転を規制する規制部と、を有し、
前記弱音部材は、前記アコースティックシンバルにおける、前記エッジ部のうち円周方向における任意の箇所、または、前記カップ部よりも前記エッジ部に近い位置に設けられた係合機能部である、複数の係合部の各々を、前記複数の係合部のうち他の係合部の少なくとも１つに対して接続関係にする接続部を有し、
前記接続部は、前記複数の係合部の各々を前記他の係合部の少なくとも１つに対して接続関係にしたとき、接続関係にした係合部同士を互いに近づける方向に付勢すると共に、前記ボウ部に対向する領域のうち少なくとも一部の領域においては前記ボウ部に対して非当接状態となることを特徴とするシンバル型打楽器。
【請求項４】
前記アコースティックシンバルに取り付けられ、前記アコースティックシンバルの振動を検出するセンサを有することを特徴とする請求項１〜３のいずれか１項に記載のシンバル型打楽器。
【発明の詳細な説明】
【技術分野】
【０００１】
本発明は、シンバル型打楽器、シンバルの回転規制装置に関する。
【背景技術】
【０００２】
従来、アコースティックシンバルにおいては、円周方向におけるどの位置を打撃しても特別な差異はないため、スタンドに対するシンバルの回転を規制することは通常行われていない。
【０００３】
ところで、アコースティックシンバルにおいて音量を下げるための弱音機能を備えるものが知られている。例えば、下記非特許文献１では、シンバルを構成する金属板に多数の小孔を形成し、打撃エネルギを吸収することで消音する構成を採用している。また、このシンバルでは、打撃を検出するセンサを設け、電子的な楽音を付加することを可能としている。
【先行技術文献】
【非特許文献】
【０００４】
【非特許文献１】“こちらイケベ新製品情報”、［online］、Zildjianより次世代の“制音”シンバル、GEN16 BUFFED BRONZE 登場！〔平成２７年６月１９日検索〕、インターネット＜ＵＲＬ：http://www.ikebe-gakki-pb.com/new_product/?p=3286＞
【発明の概要】
【発明が解決しようとする課題】
【０００５】
しかしながら、上記文献１のシンバルでは、シンバルが回転すると打撃位置が変わり、センサ位置との関係で、上記したように検出精度が不安定となるおそれがある。仮に、シンバルに形成された小孔を利用して、何らかの部材で回転を規制することが考えられる。しかし、汎用的なアコースティックシンバルには小孔は存在しないため、回転規制のために小孔等の係止部を追加工等で設けることは現実的でない。
【０００６】
ところで従来、アコースティックシンバルにおいて、弱音のために、弱音具をシンバルに装着する場合がある。また、奏者において、シンバルにテープを貼り付けたり、周縁部をクリップ等で挟んだりすることも適宜行われている。しかし、弱音具等の装着部材の少なくとも一部がシンバルの上方に露出する場合、その装着部材を避けて打撃する必要があり、装着部材の配置によってはシンバルが回転すると装着部材の位置が変化して演奏がしにくくなる場合がある。
【０００７】
本発明は上記従来技術の問題を解決するためになされたものであり、その目的は、アコースティックシンバルに特別な加工等を施すことなく回転範囲を規制することができるシンバル型打楽器、シンバルの回転規制装置を提供することにある。
【課題を解決するための手段】
【０００９】
上記目的を達成するために本発明の請求項１のシンバル型打楽器は、挿通穴（１４）が形成され支持体（１００）の一部であるロッド（２１）が前記挿通穴に挿通されて前記支持体に支持されるカップ部（１１）と、前記カップ部に連接し外周縁であるエッジ部（１３）を有するボウ部（１２）と、を有するアコースティックシンバル（１０）を有するシンバル型打楽器であって、少なくとも一部が前記アコースティックシンバルから上方に露出するように前記アコースティックシンバルに装着され、前記アコースティックシンバルの打撃音を低減させる弱音部材（３０）と、前記支持体に固定された固定部と、記固定部の一部として構成されるかまたは前記固定部に固定され、前記アコースティックシンバルに装着された前記弱音部材と係合することで前記アコースティックシンバルの回転を規制する規制部と、を有し、前記弱音部材は、前記アコースティックシンバルにおける、前記挿通穴、前記支持体、または前記支持体に対して固定された部分である第１の係合部（１４、２１）と、前記ボウ部の前記エッジ部自身、または前記ボウ部における前記カップよりも前記エッジ部に近い位置に設けられた係合機能部である第２の係合部（１３、１５）と、を接続する接続部（３１）を有し、前記接続部は、前記第１の係合部と前記第２の係合部とを接続したとき、前記第１の係合部と前記第２の係合部とを互いに近づける方向に付勢すると共に、前記ボウ部に対向する領域のうち少なくとも一部の領域においては前記ボウ部に対して非当接状態となることを特徴とする。
【００１０】
好ましくは、前記弱音部材の前記第１の係合部は、前記カップ部の上側から係合可能な上側係合部（２１ａ）と、前記カップ部の下側から係合可能な下側係合部（２１ｂ）とを有し、前記第２の係合部は前記エッジ部自身であり、前記接続部の一端部（３１Ａａ）を前記カップ部の下側から前記下側係合部に係合すると共に、前記接続部を前記エッジ部に掛け回して前記接続部の他端部（３１Ｂａ）を前記カップ部の上側から前記上側係合部に係合することで、前記エッジ部の、前記接続部が掛け回された部分（１３ｘ）が、前記挿通穴の位置する方向へ付勢される（請求項２）。
【００１１】
上記目的を達成するために本発明の請求項３のシンバル型打楽器は、挿通穴が形成され支持体の一部であるロッドが前記挿通穴に挿通されて前記支持体に支持されるカップ部と、前記カップ部に連接し外周縁であるエッジ部を有するボウ部と、を有するアコースティックシンバル（１０）を有するシンバル型打楽器であって、少なくとも一部が前記アコースティックシンバルから上方に露出するように前記アコースティックシンバルに装着され、前記アコースティックシンバルの打撃音を低減させる弱音部材（３０）と、前記支持体に固定された固定部と、記固定部の一部として構成されるかまたは前記固定部に固定され、前記アコースティックシンバルに装着された前記弱音部材と係合することで前記アコースティックシンバルの回転を規制する規制部と、を有し、前記弱音部材は、前記アコースティックシンバルにおける、前記エッジ部のうち円周方向における任意の箇所（１３ｘ）、または、前記カップ部よりも前記エッジ部に近い位置に設けられた係合機能部である、複数の係合部（１５）の各々を、前記複数の係合部のうち他の係合部の少なくとも１つに対して接続関係にする接続部（３１）を有し、前記接続部は、前記複数の係合部の各々を前記他の係合部の少なくとも１つに対して接続関係にしたとき、接続関係にした係合部同士を互いに近づける方向に付勢すると共に、前記ボウ部に対向する領域のうち少なくとも一部の領域においては前記ボウ部に対して非当接状態となることを特徴とする。
【００１２】
なお、上記括弧内の符号は例示である。
【発明の効果】
【００１５】
本発明の請求項１、３によれば、アコースティックシンバルに特別な加工等を施すことないためアコースティックシンバルとして発音ができるようにし、なおかつシンバルの回転範囲を規制することができ、弱音部材が打撃の邪魔にならないようにすることができる。
【００１６】
請求項４によれば、打撃検出の精度を高めることができる。
【図面の簡単な説明】
【００１８】
【図１】第１の実施の形態に係るシンバル型打楽器の模式的断面図（図（ａ））、斜め上側から見たシンバルの模式的斜視図（図（ｂ））、弱音具の斜視図（図（ｃ）、（ｄ）、（ｅ））である。
【図２】弱音具の装着の有無による打撃音量の時間的変化を示す図である。
【図３】第２の実施の形態に係るシンバル型打楽器の模式的断面図（図（ａ））、斜め上側から見たシンバルの模式的斜視図（図（ｂ））、弱音具の斜視図（図（ｃ））である。
【図４】第３の実施の形態に係るシンバル型打楽器の模式的断面図（図（ａ））、斜め上側から見たシンバルの模式的斜視図（図（ｂ））、弱音具の斜視図（図（ｃ）、（ｄ））である。
【図５】変形例の弱音具が適用されるシンバルの模式図（図（ａ）〜（ｃ））である。
【図６】変形例の弱音具を装着したシンバルの模式的底面図（図（ａ）〜（ｋ））である。
【図７】接続部の長さを調整する調整機構の例を示す図（図（ａ）〜（ｄ））、変形例の弱音具及び規制部の組み合わせを示す斜視図（図（ｅ））である。
【図８】第４の実施の形態に係るシンバル型打楽器の模式的断面図（図（ａ））、弱音具の斜視図（図（ｂ））である。
【発明を実施するための形態】
【００１９】
以下、本発明の実施の形態を図面を参照して説明する。
【００２０】
（第１の実施の形態）
図１（ａ）は、本願発明の第１の実施の形態に係るシンバル型打楽器の模式的断面図である。図１（ｂ）は、斜め上側（表側）から見たシンバル型打楽器の模式的斜視図である。このシンバル型打楽器は、主として金属で成るアコースティックシンバル１０（以下、シンバル１０と略記する）を有し、演奏者によって打撃されることで振動して演奏音を発することで演奏されるアコースティックの打楽器としての基本特性を有すると共に、後述するように打撃センサで検出した打撃に応じた楽音を電子的に発音する電子楽器としての特性も有する。
【００２１】
シンバル１０は、カップ部１１とカップ部１１に連接するボウ部１２とを有し、円盤状に一体に形成される。カップ部１１はボウ部１２よりも上方に椀状に少し盛り上がっており、カップ部１１の中央には挿通穴１４が形成される。ボウ部１２の外周縁はエッジ部１３である。ボウ部１２は、水平状態にしたとき、半径方向外側にいくにつれて下方に傾斜するよう緩やかに湾曲している。ボウ部１２は表面１２ａと裏面１２ｂとを有し、表面１２ａが主に打撃される面となる。このほか、エッジ部１３やカップ部１１も打撃の対象となり得る。
【００２２】
シンバル１０は、ロッド２１を有する支持体であるスタンド１００（図１（ｂ））に支持される。シンバル１０には、シンバル１０の打撃音を低減させる弱音装置として、弱音具３０が装着される。上側の緩衝材２４と、台座２２の上に配置された下側の緩衝材２３との間にカップ部１１及び弱音具３０の接続部３１が介在する。ロッド２１がカップ部１１の挿通穴１４に下方から挿通され、緩衝材２４を介して蝶ナットである締め付け具２５で締め付けられることで、ロッド２１に対してシンバル１０が支持される。ロッド２１は挿通穴１４に遊嵌状態であり、シンバル１０はロッド２１に対してある程度までの揺動が可能である。また、回転については、シンバル１０は後述する規制部５２による規制の範囲で回転が可能である。なお、緩衝材２３は円筒形状であってもよい。
【００２３】
ボウ部１２の裏面１２ｂには打撃センサ４２が配設される。打撃センサ４２は、圧電素子等で成り、シンバル１０の振動を検出する。打撃センサ４２の構成に限定はない。図示はしないが、本打楽器は、音源を有する楽音発生部、ＣＰＵを含む楽音制御部を有し、打撃センサ４２の検出結果に基づいて楽音制御部が楽音発生部から音響を発生させる。なお、打撃センサ４２の検出結果に基づく楽音を発生させるか否かは、モード切り替えにより演奏者が任意に指定できる。
【００２４】
台座２２の下方においてロッド２１には、固定部５１が固定される。固定部５１の固定の態様は問わず、ロッド２１と一体に形成されてもよい。固定部５１に、規制部５２が固定されている。図１（ａ）の例では、規制部５２は側面視でＬ字型の突設棒であるが、外観形態は問わない。規制部５２の固定部５１に対する固定の態様は問わず、規制部５２は固定部５１と一体に形成されていてもよい。いずれにしても、規制部５２は固定部５１を介してスタンド１００に対して固定関係となっている。固定部５１及び規制部５２は金属や硬質樹脂等の剛性の高い材料で形成される。
【００２５】
規制部５２の上端が、弱音具３０の接続部３１に形成された係止穴である係止部Ｈに挿入されており、弱音具３０の回転が規制される。弱音具３０はシンバル１０に対して自由に回転できないので、弱音具３０を介してシンバル１０の回転範囲が規制される。
【００２６】
図１（ｃ）は、弱音具３０の斜視図である。図１（ａ）では、弱音具３０の厚みは誇張して厚く描かれている。弱音具３０は、接続部３１を有して、ゴム、弾性樹脂、バネ等の弾性部材で一体に形成される。なお、弱音具３０における接続部３１以外の部分を接続部３１よりも硬い部材で構成してもよい。接続部３１の長手方向における一端部３１ａに取付穴３２が形成されると共に、他端部３１ｂに鉤状の取付部３３が形成される。取付穴３２は、ロッド２１が貫通可能な大きさである。接続部３１には、規制部５２が係止されるための係止部Ｈが形成されている。係止部Ｈは、取付穴３２と取付部３３との間に形成される。
【００２７】
ボウ部１２には、係合穴１５が形成されている（図１（ａ）、（ｂ））。係合穴１５は、半径方向においてカップ部１１よりもエッジ部１３に近い位置に設けられた係合機能部であり、本実施の形態では係合穴１５が「第２の係合部」の一例となる。
【００２８】
弱音具３０は、ロッド２１の、カップ部１１と緩衝材２３とに挟まれた部分２１ｂと、係合穴１５とを接続する。本実施の形態ではロッド２１の特に部分２１ｂが、「第１の係合部」の一例となる。すなわち、ロッド２１にシンバル１０を支持させる際に、カップ部１１と緩衝材２３との間に弱音具３０の一端部３１ａが挟まれるように、弱音具３０の取付穴３２にロッド２１を挿通し、緩衝材２４を介してカップ部１１と弱音具３０の一端部３１ａとを締め付け具２５で締め付ける。さらに、弱音具３０の他端部３１ｂの取付部３３を下方から係合穴１５に挿通係合する。
【００２９】
自由状態における接続部３１の長さ（取付穴３２から取付部３３までの長さ）は、部分２１ｂと係合穴１５との距離よりも少し短く設定されている。従って、取付穴３２を部分２１ｂに係合し、取付部３３を係合穴１５に係合すると、接続部３１は引っ張り状態となり、その弾性によって部分２１ｂと係合穴１５とを互いに近づける方向に付勢する。部分２１ｂはスタンド１００に固定されたロッド２１の一部であるので、係合穴１５には、相対的に、挿通穴１４のあるシンバル１０の半径方向中心に向かう付勢力Ｆ１が作用する（図１（ｂ））。その結果、シンバル１０としては、挿通穴１４と係合穴１５とが互いに近づく方向に付勢される。
【００３０】
ところで、接続部３１は、ボウ部１２の裏面１２ｂに対向する領域のうち少なくとも一部の領域においてはボウ部１２に対して非当接状態となるようになっている。図１（ａ）の例では、ボウ部１２が上方に凸となるように湾曲しているので、接続部３１は、ほぼ全領域に亘ってボウ部１２に対して非当接状態となる。
【００３１】
シンバル１０の表側には、弱音具３０の取付部３３が露出する。そのため、演奏者としては、取付部３３が邪魔にならないよう取付部３３のない領域を打撃したい。また、打撃センサ４２により打撃検出の精度を安定化させるためには、円周方向における打撃センサ４２の配置位置に近い領域が打撃されることが望ましい。そこで、本実施の形態では、挿通穴１４を挟んで係合穴１５と反対側の領域に打撃センサ４２を配置している。仮に、シンバル１０が自由に回転する構成であると、円周方向における打撃位置が随時変化し、打撃している領域に取付部３３が近づいてくることがある一方、打撃センサ４２が遠ざかることもあり、適切な位置を打撃できないおそれが生じる。
【００３２】
そこで本実施の形態では、シンバル１０に装着される装着部材である弱音具３０を利用し、接続部３１の係止部Ｈと規制部５２との挿通係合によって、シンバル１０の回転を間接的に規制している。演奏者は、シンバル１０の回転方向における位置設定については、打撃センサ４２がある付近を自身による打撃想定範囲に位置させて演奏すればよい。シンバル１０の回転が規制されるので、取付部３３を避けて打撃できると同時に打撃センサ４２がある付近を打撃できる。なお、回転規制といっても、シンバル１０の回転を完全に止める必要はないので、係止部Ｈと規制部５２との関係は遊嵌であってもよい。
【００３３】
係止部Ｈに規制部５２を係止するのは、シンバル１０に弱音具３０が装着された状態で行える。すなわち、弱音具３０は弾性を有するので、接続部３１の弾性を利用して係止部Ｈに規制部５２を挿通するのは容易である。なお、規制部５２にも上下方向に撓む弾性特性を設けてもよい。
【００３４】
図２は、弱音具の装着の有無による打撃音量の時間的変化を示す図である。図２において、横軸に打撃後の経過時間（ｓｅｃ）をとり、縦軸に音量（ｄＢ）をとる。弱音具なしの場合は、約１．０秒経過しても音量は０ｄＢまで低下しない。一方、従来の弱音具を装着し、ほぼ完全にミュートした場合は、約０．２秒経過前に音が減衰しきってしまう。これに対し、本実施の形態の弱音具３０を装着した場合は、約０．５秒程度経過する頃に音量が０ｄＢまで減衰する。また、最大レベルに着目すると、弱音具なしや従来の弱音具を装着した場合のいずれと比べても、本実施の形態の弱音具３０を装着した場合は、最大レベルが低く抑えられている。すなわち、音の減衰時間が適度に保たれつつも、音量が低く抑えられている。
【００３５】
出願人の解析によると、このような作用効果は、シンバル１０において挿通穴１４と係合穴１５とが互いに近づく方向に付勢されることで得られることが判明した。柔らかい弱音具をシンバル上に載せる従来の構成とは異なり、本実施の形態では、シンバル１０の一部において圧縮方向のテンションがかけられることで、高周波の豊かな音を減衰させ過ぎることなく音量を低く抑えることができる。
【００３６】
また、弱音具３０の接続部３１は、ボウ部１２に対向する領域のうちボウ部１２に非当接状態となる領域を有するので、従来のように、全て領域でボウ部に接触する構成のように広い面積でボウ部の振動が抑制されることがない。これにより、打撃音が、元々のシンバルの音から大きく変化してしまうことがない。
【００３７】
本実施の形態によれば、スタンド１００のロッド２１に固定された固定部５１に規制部５２を固定し、弱音具３０の係止部Ｈに規制部５２を係止することによって、シンバル１０の回転を規制することができる。回転規制によって常に決まった適切な領域を打撃できる。従って、弱音具３０が打撃の邪魔にならないようにすることができる。また、打撃センサ４２による検出精度が安定する。しかも、回転規制のために、シンバル１０に装着される弱音具３０を利用するので、シンバル１０に穴や係止部等を設けるための追加工を回転規制のためだけに施す必要がなく、汎用的なシンバルに対して適用が容易となる。よって、アコースティックシンバルに特別な加工等を施すことがないためアコースティックシンバルとしての音量・音色等で発音ができるようにし、なおかつシンバルの回転範囲を規制することができ、打撃検出の精度を高めると共に、弱音具３０が打撃の邪魔にならないようにすることができる。また、弱音具３０を利用することから、構成部品を増やさなくて済む。
【００３８】
本実施の形態によればまた、弱音具３０を装着したことで、打撃音に過大な影響を与えることなく音量を低減させることができる。
【００３９】
また、弱音具３０については、シンバル１０の表側に露出する部分は取付部３３だけであるので、弱音具でシンバルを上側から大きく覆う従来構成に比べ、弱音具３０を直接打撃しなくて済む領域、すなわち、打撃感触が変わらない打撃領域を大きく確保できる。従って、打撃感触を損ねるおそれが小さい。しかもシンバル１０の外観が大きく変化することもない。また、弱音具３０の接続部３１は弾性部材で構成され、その弾性によって付勢力を発揮するので、簡単な構成で付勢力を発生させることができる。
【００４０】
なお、弱音具３０におけるシンバル１０に取り付けられる部分の構成は、例示したものに限られない。後にもいくつか変形例を説明するが、例えば、本実施の形態では図１（ｄ）、（ｅ）に示す変形例を採用してもよい。すなわち、弱音具３０の取付部３３を、鉤状でなく、幅広形状に形成してもよい（図１（ｄ））。この幅広の取付部３３を係合穴１５に挿通して係合することでも、図１（ｃ）のものと同様の機能を果たすことができる。あるいは、図１（ｅ）に示すように、弱音具３０を一体に形成するのではなく、他端部３１ｂに金具３４を取り付け、金具３４に鉤状の取付部３３を形成してもよい。なお、弱音具３０のうち少なくとも一部（主に接続部３１）に弾性を有すればよいので、一端部３１ａにおいても、取付穴３２を形成した金具等を取り付ける構成であってもよい。
【００４１】
なお、シンバル１０に形成した係合穴１５は１つでなくてもよく、上記した特許文献４に採用される小孔の１つを利用してもよい。
【００４２】
（第２の実施の形態）
図３（ａ）は、第２の実施の形態に係るシンバル型打楽器の模式的断面図である。図３（ｂ）は、斜め上側から見たシンバルの模式的斜視図である。図３（ｃ）は、弱音具３０の斜視図である。図３（ａ）、（ｂ）では、緩衝材２４や締め付け具２５等の図示を省略している。
【００４３】
第１の実施の形態では、シンバル１０に形成された係合穴１５に弱音具３０の取付部３３が係合される構成であった。これに対し第２の実施の形態では、ボウ部１２の外周縁であるエッジ部１３に弱音具３０を接続する。また、第１の実施の形態に対し、弱音具３０の形状及び、弱音具３０に係合する規制部５２の形状を異ならせる。
【００４４】
本実施の形態では、弱音具３０は、ロッド２１の部分２１ｂとエッジ部１３ｘとを接続する。エッジ部１３ｘは、ボウ部１２の外周縁であるエッジ部１３のうち円周方向における任意の箇所であり、その位置は限定されない。本実施の形態ではエッジ部１３ｘが「第２の係合部」の一例となる。
【００４５】
弱音具３０の長手方向中間部に取付穴３２が形成される。弱音具３０における取付穴３２と取付部３３との間の長さについては、部分２１ｂとエッジ部１３ｘとの距離よりも少し短く設定されている。弱音具３０の一端部３１ｅに係止部Ｈが形成されている（図３（ａ）、（ｃ））。シンバル１０の表側には、弱音具３０の取付部３３が露出する。挿通穴１４を挟んで打撃センサ４２と反対側の領域に取付部３３が位置するように弱音具３０を装着するのが望ましい。
【００４６】
図３（ａ）に示すように、弱音具３０の取付穴３２にロッド２１を挿通して係合する。一方、弱音具３０の他端部３１ｂの鉤状の取付部３３については、エッジ部１３ｘに対して下方外周側から上方へ掛けるように係合する。取付穴３２を部分２１ｂに係合し、取付部３３をエッジ部１３ｘに係合すると、接続部３１は引っ張り状態となり、その弾性によって部分２１ｂとエッジ部１３ｘとを互いに近づける方向に付勢する。その結果として、挿通穴１４とエッジ部１３ｘとが互いに近づく方向に付勢され、エッジ部１３ｘには、挿通穴１４に向かう付勢力Ｆ２が作用する（図３（ｂ））。また、第１の実施の形態と同様に、接続部３１は、ほぼ全領域に亘ってボウ部１２に対して非当接状態となる。
【００４７】
シンバル１０において挿通穴１４とエッジ部１３ｘとが互いに近づく方向に付勢されることで、図２で説明したような、音の減衰時間が適度に保たれつつも、音量が低く抑えられるという作用効果が得られる。
【００４８】
また、弱音具３０における取付穴３２よりも一端部３１ｅの側は、下方に湾曲して垂下して配置される。第１の実施の形態に対し、固定部５１及び規制部５２の形状は異なるが基本構成は同様である。規制部５２が、弱音具３０の一端部３１ｅに形成された係止部Ｈに挿入されており、弱音具３０の回転が規制される。従って、シンバル１０の回転範囲が規制される。
【００４９】
本実施の形態によれば、シンバルに特別な加工等を施すことなく回転範囲を規制することができ、打撃検出の精度を高めると共に、弱音具３０が打撃の邪魔にならないようにすることに関し、第１の実施の形態と同様の効果を奏することができる。
【００５０】
本実施の形態によればまた、打撃音に過大な影響を与えることなく音量を低減させることに関し、第１の実施の形態を同様の効果を奏することができる。また、シンバル１０は係合穴１５を有する必要がないので、弱音具３０の汎用性がより高い。
【００５１】
なお、弱音具３０の形状及び係止部Ｈを設ける位置については、本実施の形態と第１の実施の形態とを相互に入れ替えてもよい。すなわち、第１の実施の形態において、弱音具３０における取付穴３２の位置からさらに延びて下方に垂下した位置に係止部Ｈを設け、係止部Ｈに規制部５２を係止してもよい。あるいは、第２の実施の形態において、取付穴３２と取付部３３との間に係止部Ｈを設けて規制部５２を係止してもよい。
【００５２】
（第３の実施の形態）
図４（ａ）は、第３の実施の形態に係るシンバル型打楽器の模式的断面図である。図４（ｂ）は、斜め上側から見たシンバルの模式的斜視図である。図４（ｃ）は、弱音具３０の斜視図である。図４（ａ）、（ｂ）では、緩衝材２４や締め付け具２５等の図示を省略している。
【００５３】
第３の実施の形態では、シンバル１０に形成された２つの係合穴１５Ａ、１５Ｂを弱音具３０で接続する。係合穴１５Ａ、１５Ｂはいずれも、半径方向においてカップ部１１よりもエッジ部１３に近い位置に設けられた係合機能部である。図４（ｃ）に示す弱音具３０は、図１（ｃ）に示す構成の弱音具３０における取付部３３を接続部３１の両端に設けた構成に相当する。すなわち、接続部３１の長手方向における一端部３１ａに鉤状の取付部３３Ａが形成されると共に、他端部３１ｂに鉤状の取付部３３Ｂが形成される。接続部３１の長さ（取付部３３Ａ、３３Ｂ間の長さ）については、係合穴１５Ａ、１５Ｂ間の距離よりも少し短く設定されている。
【００５４】
弱音具３０の長手方向における取付部３３Ａ寄りの位置に係止部Ｈが形成されている（図４（ｃ））。シンバル１０の表側には、弱音具３０の取付部３３Ａ、３３Ｂが露出する。シンバル１０の円周方向において係合穴１５Ａ、１５Ｂの双方から遠い領域に打撃センサ４２が配置される（図４（ｂ））。
【００５５】
ロッド２１にシンバル１０を支持させる時間的前後を問わず、弱音具３０の一端部３１ａの取付部３３Ａを下方から係合穴１５Ａに挿通係合すると共に、他端部３１ｂの取付部３３Ｂを下方から係合穴１５Ｂに挿通係合する。すると、接続部３１は引っ張り状態となり、その弾性によって係合穴１５Ａ、１５Ｂが互いに近づく方向に付勢される。係合穴１５Ａ、１５Ｂには、互いに向き合う付勢力Ｆ３が作用する（図４（ｂ））。このように、弱音効果を得る上で、付勢力の方向はシンバル１０の半径方向中心を向く必要はない。
【００５６】
第１の実施の形態に対し、固定部５１及び規制部５２の形状は異なるが基本構成は同様である。規制部５２の上端が、弱音具３０の接続部３１に形成された係止部Ｈに挿入され、弱音具３０の回転が規制される。従って、シンバル１０の回転範囲が規制される。規制部５２及び弱音具３０が協働して、シンバル１０の回転範囲を規制する回転規制装置として機能する。
【００５７】
本実施の形態によれば、シンバルに特別な加工等を施すことなく回転範囲を規制することができ、打撃検出の精度を高めると共に、弱音具３０が打撃の邪魔にならないようにすることに関し、第１の実施の形態と同様の効果を奏することができる。
【００５８】
本実施の形態によればまた、打撃音に過大な影響を与えることなく音量を低減させることに関し、第１の実施の形態を同様の効果を奏することができる。
【００５９】
ところで、弱音具３０によって接続される対象となる係合穴１５Ａ、１５Ｂは、エッジ部１３に極力近い位置に設けられるのが望ましい。これは、圧縮方向のテンションを受ける領域がエッジ部１３に近い方が、音量低減効果が高いからである。第１の実施の形態において、係合穴１５がエッジ部１３に近いのが望ましいこと、及び、第２の実施の形態において、エッジ部１３ｘが係合の対象とされることも、同様の理由による。
【００６０】
なお、本実施の形態において、弱音具３０に関して図４（ｄ）に示す変形例を採用してもよい。すなわち、図１（ｄ）に示した例を応用し、弱音具３０の取付部３３Ａ、３３Ｂの一方または双方を、鉤状でなく幅広形状に形成してもよい。なお、図１（ｅ）に示した例を応用し、取付部３３Ａを形成した金具または取付部３３Ｂを形成した金具の一方または双方を設けてもよい。
【００６１】
第１、第２の実施の形態では、弱音具３０の一部をロッド２１に接続し、他の一部をシンバル１０の係合穴１５またはエッジ部１３に接続する構成を説明した。また、第３の実施の形態では、係合穴１５同士を接続する構成を例示した。しかし、弱音具３０による接続の対象となる係合部はこれまで例示したもの限定されない。
【００６２】
例えば、第１、第２の実施の形態で、接続対象の一方となる第１の係合部を、シンバル１０の挿通穴１４、スタンド１００、スタンド１００に対して固定された部分（ロッド２１等）であると考えると、接続対象の他方となる第２の係合部は、エッジ部１３自身、または、ボウ部１２におけるカップ部１１よりもエッジ部１３に近い位置に設けられた係合機能部であればよい。第３の実施の形態で考えると、接続対象となる複数の係合部は、シンバル１０における、エッジ部１３自身、または、ボウ部１２におけるカップ部１１よりもエッジ部１３に近い位置に設けられた係合機能部であればよい。そして、弱音具３０によって、これら複数の係合部の各々を、複数の係合部のうち他の係合部の少なくとも１つに対して接続関係にする構成であればよい。以下、これらの条件を満たす変形例を図５、図６で説明する。
【００６３】
図５（ａ）、（ｂ）、（ｃ）は、変形例の弱音具が適用されるシンバルの模式的断面図である。図５（ａ）、（ｃ）では、緩衝材２４や締め付け具２５等の図示を省略している。
【００６４】
まず、図５（ａ）に示す例は、主に第１の実施の形態に適用でき、ボウ部１２の裏面１２ｂにフック１６が形成される。フック１６の位置は係合穴１５（図１（ａ））と同じである。フック１６が「第２の係合部」の一例となる。弱音具３０の一端部３１ａの取付穴３２にロッド２１を挿通して係合する点は第１の実施の形態と同様である。一方、弱音具３０の他端部３１ｂに、取付穴３２と同様の取付穴を設け、それをフック１６に係合する。
【００６５】
図５（ｂ）に示す例は、主に第１の実施の形態に適用でき、弱音具３０をシンバル１０の裏側でなく表側に配置する。弱音具３０の構成は、図３（ｃ）に示すものを基本的に採用できるが、弱音具３０の接続部３１において、取付穴３２よりも他端部３１ｂに近い側には、上側に凸の湾曲部３１ｃが形成される。弱音具３０の取付穴３２より一端部３１ｅ寄りの側は上方に湾曲して延びている。弱音具３０の一端部３１ｅに係止部Ｈが形成される。
【００６６】
弱音具３０の取付穴３２を、ロッド２１の、カップ部１１より上側の部分２１ａに係合させる。部分２１ａが、「第１の係合部」の一例となる。弱音具３０の他端部３１ｂの取付部３３を上方から係合穴１５に挿通係合する。湾曲部３１ｃがボウ部１２の表面１２ａに対して非当接状態となる。なお、接続部３１は、ボウ部１２に対向する領域のうち少なくとも一部の領域においてボウ部１２に対して非当接状態となる形状であればよく、湾曲部３１ｃのような形状に限定されない。また、シンバル１０の半径方向における接続部３１の途中に湾曲部３１ｃのような形状を設けてもよい。
【００６７】
締め付け具２５の上方おいてロッド２１に、固定部５１が固定される。固定部５１は例えば、ネジ５３によって着脱可能に固定される。固定部５１に規制部５２が固定されている。規制部５２が、弱音具３０の一端部３１ｅに形成された係止部Ｈに挿入され、弱音具３０の回転が規制される。従って、シンバル１０の回転範囲が規制される。
【００６８】
図５（ｃ）に示す例は、主に第１の実施の形態に適用できる。弱音具３０としては、図４（ｃ）に示す構成が好適である。ロッド２１にシンバル１０を支持させる前に、弱音具３０の一端部３１ａの取付部３３Ａを下方から挿通穴１４に挿通係合すると共に、他端部３１ｂの取付部３３Ｂを下方から係合穴１５に挿通係合する。取付部３３Ａが「第１の係合部」の一例となり、係合穴１５が「第２の係合部」の一例となる。
【００６９】
なお、図５（ｂ）、図５（ｃ）の例において、図３（ａ）の例のように、取付部３３、取付部３３Ｂをエッジ部１３に対して掛けるように係合してもよい。これらの場合、エッジ部１３が「第２の係合部」となる。一方、図４（ａ）に示す例で、弱音具３０をシンバル１０の表側に配置してもよい。
【００７０】
図６（ａ）〜（ｋ）は、変形例の弱音具３０を装着したシンバル１０の模式図である。各図において、シンバル１０に設けられた係合穴１５（図１（ａ）等）に相当する穴を白い丸で示したが、これはフック１６（図５（ａ））であってもよい。また、弱音具３０に設けられた係止部Ｈも白い丸で示した。エッジ部１３ｘは、エッジ部１３のうち弱音具３０が係合する箇所である。弱音具３０における、係合部と係合される部分の形状については、係合部の形状に合わせて適宜、鉤状または穴等を採用できる。弱音具３０による接続対象となる係合部は、３つ（図６（ａ）〜（ｄ）、（ｊ））、４つ（）図６（ｅ）〜（ｈ））、５つ（図６（ｉ））でもよく、６つ以上でもよい。また、弱音具３０は単独で３つ以上の係合部の全てを接続する構成であってもよい（図６（ａ）、（ｄ）、（ｅ）、（ｈ）、（ｉ）、（ｊ））。あるいは、複数の係合部のうち一部の係合部同士を接続する弱音具３０を２つ以上設けてもよい（図６（ｂ）、（ｃ）、（ｆ）、（ｇ））。  係止部Ｈについては、弱音具３０の適切な位置に形成する。また、弱音具３０に突設片３１ｆを一体に形成し、この突設片３１ｆに係止部Ｈを形成してもよい（図６（ａ）、（ｅ）、（ｇ））。各図において打撃センサ４２の図示は省略しているが、打撃センサ４２は、弱音具３０が上方に露出しない領域においてシンバル１０の裏側に設けるのが好ましい。
【００７１】
なお、図６（ａ）〜（ｊ）では弱音具３０をシンバル１０の裏側に配置したが、シンバル１０の表側に配置してもよい。また、これまで、本発明をシンバルに適用する例を説明したが、図６（ｋ）に例示するように、ハイハットシンバルに適用してもよい。その場合、例えば、上側シンバル１０Ａまたは下側のシンバル１０Ｂのいずれかまたは双方に、上述したいずれかの弱音具３０の装着を適用する。なお、上側シンバル１０Ａと下側のシンバル１０Ｂとの間に弱音具３０の肉部が介在する構成となる場合があるが、弱音具３０の肉部は円周方向の一部であれば問題ない。すなわち、両シンバルの衝突時に、弱音具３０の肉部の無い箇所で適切に衝突し、音が発生するからである。また、図６（ｋ）の例においては、規制部５２と係止部Ｈとの係合の構成については、上側シンバル１０Ａの上方において、図５（ｂ）で例示した構成を採用可能である。
【００７２】
なお、これまで説明した例は、接続部の長さは、適切な付勢力が発揮されるよう予め設定されていた。しかし、図７（ａ）〜（ｄ）に例示するように、接続部の長さを調整する調整機構を設けてもよい。
【００７３】
例えば、図７（ａ）に示すように、ワイヤ１３１に対するロック位置を切り替え可能なロック機構３９を設け、ワイヤ１３１のうち接続部３１に該当する長さを段階的に切り替えできるように構成してもよい。ロック機構３９の構成は問わず、角度を変えることでワイヤ１３１をロックしたり解放したりする構成が考えられる。長さ調節機構は無段階にできるものであってもよい。なお、図７（ａ）の構成を第２の実施の形態（図３（ａ））に適用する場合は、図７（ｂ）に示すように、取付穴３２から延長した部分の先端に係止部Ｈを設ければよい。また、図７（ｃ）に示すように、接続部３１にターンバックルの機構を採用してもよい。割り枠式やパイプ式、いずれの様式のターンバックルを採用してもよい。あるいは、図７（ｄ）に示すように、接続部３１を２つの板部材１３１Ａ、１３１Ｂで構成し、板部材１３１Ａに設けた長穴４０を介してボルト４１で板部材１３１Ａを板部材１３１Ｂに締結する構成であってもよい。長穴４０に対するボルト４１の締め付け位置で接続部３１の全長を調節できる。このような調節機構を有すれば、弱音の度合いを調整することができる。また、弱音具３０を、弾性を有さない金属等だけで構成することも可能となる。例えば、図７（ａ）、（ｂ）の構成であれば、係合対象の係合部に弱音具３０の両端部を係合した後に、接続部３１の長さを手作業にて容易に調節できるから、金属製の弱音具３０でもシンバル１０に適切なテンションを与えることができる。
【００７４】
ところで、上記各実施の形態においては、規制部５２は１本の棒、係止部Ｈは穴という組み合わせであった。しかし、弱音具３０に係合して回転方向の変位を規制できればよいので、両者の組み合わせは例示に限定されない。例えば、図７（ｅ）に示すように、弱音具３０をシンバル１０の回転方向における両側から挟む形で規制部５２が配置される構成であってもよい。例えば、図１（ｃ）に示す弱音具３０に改変を加えて、接続部３１に切欠部としての係止部Ｈ２を形成する。一方、規制部５２には、２本で一対の棒状部５２ａを突出形成する。そして一対の棒状部５２ａ間に係止部Ｈ２が位置するように規制部５２を配置する。係止部Ｈ２は少し余裕を持って棒状部５２ａに挟まれてもよい。このような構成は、上記各実施の形態は変形例に適用可能である。
【００７５】
（第４の実施の形態）
これまで説明した構成では、弱音具３０は、シンバル１０の表側または裏側のいずれかに配置するものであった。しかし、弱音具３０は、シンバル１０の表側及び裏側の双方に個別に配置してもよい。また、第４の実施の形態として説明するように、シンバル１０の表側及び裏側に配設される一体の弱音具３０を採用してもよい。
【００７６】
図８（ａ）は、第４の実施の形態に係るシンバル型打楽器の模式的断面図である。図８（ｂ）は、弱音具３０の斜視図である。
【００７７】
図８（ｂ）に示すように、この弱音具３０は、接続部３１として、上側接続部３１Ｂと下側接続部３１Ａとを有する。接続部３１の一端部でもある下側接続部３１Ａの端部３１Ａａに取付穴３２Ａが形成され、接続部３１の他端部でもある上側接続部３１Ｂの端部３１Ｂａに取付穴３２Ｂが形成される。上側接続部３１Ｂと下側接続部３１Ａとが連接部分３６で繋がっている。なお、接続部３１は連接部分３６で予め曲げ癖が付けられている必要はなく、自由状態では端部３１Ａａから連接部分３６を介して端部３１Ｂａにかけて平坦であってもよい。
【００７８】
下側接続部３１Ａには、規制部５２が係止される係止部Ｈが形成されている。係止部Ｈは、取付穴３２Ａと連接部分３６との間に形成される。固定部５１及び規制部５２の構成は第１の実施の形態と同様である。規制部５２の上端が係止部Ｈに挿入され、弱音具３０の回転が規制される。従って、シンバル１０の回転範囲が規制される。ロッド２１に対して打撃センサ４２が配置される側とは反対側の領域に弱音具３０が位置するように弱音具３０を装着するのが望ましい。
【００７９】
図８（ａ）に示すように、ロッド２１の、カップ部１１の上側は、緩衝材２４を介して締め付け具２５で締め付けられている。取付穴３２Ａは、カップ部１１と緩衝材２３とに挟まれた部分２１ｂ（下側係合部）に係合される。取付穴３２Ｂは、ロッド２１の、カップ部１１と緩衝材２４とに挟まれた部分２１ａ（上側係合部）に係合される。
【００８０】
かかる構成において、まず、ロッド２１にシンバル１０を支持させる際に、カップ部１１と緩衝材２３との間に下側接続部３１Ａの端部３１Ａａが挟まれるように、取付穴３２Ａにロッド２１を下方から挿通する。次に、連接部分３６をエッジ部１３ｘに掛け回して、カップ部１１と緩衝材２４との間に上側接続部３１Ｂの端部３１Ｂａが挟まれるように、取付穴３２Ｂにロッド２１を挿通する。その後、カップ部１１の上側から端部３１Ｂａと緩衝材２４とを締め付け具２５で締め付ける。
【００８１】
接続部３１の長さ（取付穴３２Ａ、３２Ｂ間の長さ）は、部分２１ｂからエッジ部１３ｘを介して部分２１ａに亘る距離よりも少し短い。これにより、下側接続部３１Ａ及び上側接続部３１Ｂはそれぞれ引っ張り状態となり、それらの弾性によって、エッジ部１３ｘが、部分２１ｂ、２１ａのある方向、すなわち、シンバル１０の半径方向中心の方向に付勢される。第１の実施の形態と対比して考えると、部分２１ｂ、２１ａがそれぞれ「第１の係合部」に相当し、エッジ部１３ｘが、「第２の係合部」に相当する。
【００８２】
なお、シンバル１０の半径方向における上側接続部３１Ｂの途中に湾曲部３１ｃ（図５（ｂ））に相当する湾曲部の形状を採用してもよい。
【００８３】
本実施の形態によれば、シンバルに特別な加工等を施すことなく回転範囲を規制することができ、打撃検出の精度を高めると共に、弱音具３０が打撃の邪魔にならないようにすることに関し、第１の実施の形態と同様の効果を奏することができる。
【００８４】
本実施の形態によればまた、打撃音に過大な影響を与えることなく音量を低減させることに関し、第１の実施の形態を同様の効果を奏することができる。特に、シンバル１０は、弱音具３０を装着するための係合穴を有する必要がないので、弱音具３０の汎用性も高い。また、弱音具３０の構成が簡単であるので製造コストが低減でき、しかも表裏両側から弱音するので弱音効果が高い。
【００８５】
また、本実施形態の装着部材は、弱音具として説明したが、一般的なミュートのように音色に変化をつけるために用いるものとしてもよい。例えば、張力の大きさと装着部位の接触面積を所望のものとすることで音色を変えるようにすればよい。また、張力の大きさと装着部位の接触面積について、複数のバリエーションを用意しておき、その中から所望のものを選んで用いるようにしてもよい。
【００８６】
なお、図８の構成において、下側接続部３１Ａの端部３１Ａａ、上側接続部３１Ｂの端部３１Ｂａのいずれかまたは双方について、取付穴３２Ａ、３２Ｂに代えて、鉤状の取付部３３Ａ（図５（ｃ））を採用してもよい。
【００８７】
なお、本実施の形態においても、規制部５２と係止部Ｈとの係合の構成については、シンバル１０の上方において、図５（ｂ）で例示した構成を採用可能である。
【００８８】
なお、上記各実施の形態において、シンバルの弱音効果を必要とせず、打撃検出の精度を高めると共に装着部材が打撃の邪魔にならないようにするという効果を主として求める場合は、規制部５２と係合する装着部材は弱音具３０でなくてもよい。例えば、アクセサリ等のようにシンバル１０に固定的に装着される部材であってもよい。
【００８９】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態や変形例の一部を適宜組み合わせてもよい。また、本発明においては、回転範囲を規制するものとして説明しているが、その回転方向が限定されるものではなく、ロッドを軸にしてどちらの方向にも回転（すなわち回動）できるシンバルであれば、回動規制として働くものである。
【符号の説明】
【００９０】
１０  シンバル、  １１  カップ部、  １２  ボウ部、  １３  エッジ部（第２の係合部）、  １４  挿通穴（第１の係合部）、  １５  係合穴（第２の係合部、係合部）、  ２１  ロッド（第１の係合部）、  ２１ａ  部分（上側係合部、第１の係合部）、  ２１ｂ  部分（下側係合部、第１の係合部）、  ３０  弱音具（装着部材、弱音装置）、  ３１  接続部、  ３１Ａａ  端部、  ３１Ｂａ  端部、  ３２  取付穴、  ３３  取付部、  ４２  打撃センサ、  ５１  固定部、  ５２  規制部、  １００  スタンド（支持体）、  Ｈ、Ｈ２  係止部
【図１】
0006551862.tif 000002
【図２】
0006551862.tif 000003
【図３】
0006551862.tif 000004
【図４】
0006551862.tif 000005
【図５】
0006551862.tif 000006
【図６】
0006551862.tif 000007
【図７】
0006551862.tif 000008
【図８】
0006551862.tif 000009